(57)【要約】      （修正有）【課題】電子デバイス及び電磁誘導充電システムを提供する。【解決手段】電磁誘導充電システムは、電子デバイス（２０２，２０４）のエンクロージャの少なくとも１つの壁（５０２，５０６）の中にカブセル化される少なくとも１つの電磁誘導充電コイル（５００，５０４）を備える。１つ又は複数の電磁誘導充電コイルは、電子デバイスのエンクロージャにインサート成形されてもよい。電子デバイスは、電磁誘導充電システムにおける送電デバイス又は受電デバイスであり得る。【選択図】図５
0003210885.tif 000002
【実用新案登録請求の範囲】
【請求項１】
電子デバイスのエンクロージャの１つ以上の壁の中にカブセル化される１つ以上の電磁誘導充電コイルを備える、電子デバイス。
【請求項２】
前記１つ以上の電磁誘導充電コイルは、前記電子デバイスのエンクロージャの前記１つ以上の壁にインサート成形される、請求項１に記載の電子デバイス。
【請求項３】
前記電子デバイスは充電デバイスを備える、請求項１に記載の電子デバイス。
【請求項４】
前記充電デバイスは、電子デバイスにおける充電ポートに挿入されるように適応される充電デバイスを含む、請求項３に記載の電子デバイス。
【請求項５】
前記充電デバイスは充電ドックを含む、請求項３に記載の電子デバイス。
【請求項６】
前記電子デバイスは、装着型電子デバイス及びポータブル電子デバイスのうちの１つを備える、請求項１に記載の電子デバイス。
【請求項７】
少なくとも１つの電磁誘導充電コイルは、平面型電磁誘導充電コイルを含む、請求項１に記載の電子デバイス。
【請求項８】
少なくとも１つの電磁誘導充電コイルは、トロイダル形状の電磁誘導充電コイルを含む、請求項１に記載の電子デバイス。
【請求項９】
少なくとも１つの電磁誘導充電コイルは、円錐形状の電磁誘導充電コイルを含む、請求項１に記載の電子デバイス。
【請求項１０】
少なくとも１つの壁の外面の形状が少なくとも１つの電磁誘導充電コイルの形状に対応する、請求項１に記載の電子デバイス。
【請求項１１】
電磁誘導充電システムであって、
送電コイルを備える送電デバイスと、
受電コイルを備える受電デバイスと、を備え、前記送電コイル及び前記受電コイルのうちの少なくとも１つは、対応するデバイスのエンクロージャにカブセル化される、電磁誘導充電システム。
【請求項１２】
前記送電コイルは前記送電デバイスの前記エンクロージャにインサート成形される、請求項１１に記載の電磁誘導充電システム。
【請求項１３】
前記受電コイルが前記受電デバイスの前記エンクロージャにインサート成形される、請求項１１に記載の電磁誘導充電システム。
【請求項１４】
前記送電デバイスは充電デバイスを含む、請求項１１に記載の電磁誘導充電システム。
【請求項１５】
前記充電デバイスは、電子デバイスにおける充電ポートに挿入されるように適応される充電デバイスを含む、請求項１４に記載の電磁誘導充電システム。
【請求項１６】
前記受電デバイスは、装着型電子デバイス及びポータブル電子デバイスのうちの１つを含む、請求項１１に記載の電磁誘導充電システム。
【請求項１７】
電子デバイスのエンクロージャに電磁誘導充電コイルを配置する方法であって、
前記電磁誘導充電コイルを、前記エンクロージャの少なくとも一部の形状を画定する型に配置することと、
前記型に材料を注入して前記エンクロージャの少なくとも一部を形成することと、
を含み、前記材料は電磁誘導充電コイルを前記エンクロージャにカブセル化する、方法。
【請求項１８】
前記電子デバイスは充電デバイスを含む、請求項１７に記載の方法。
【請求項１９】
前記電子デバイスは、装着型電子デバイス及びポータブル電子デバイスのうちの１つを含む、請求項１７に記載の方法。
【請求項２０】
前記電磁誘導充電コイルは、平面電磁誘導充電コイル、トロイダル形状の電磁誘導充電コイル、及び円錐形状の電磁誘導充電コイルのうちの１つを備える、請求項１７に記載の方法。
【考案の詳細な説明】
【関連出願の相互参照】
【０００１】
本特許協力条約特許出願は、２０１４年４月２８日に出願され、「Ｅｎｃａｐｓｕｌａｔｅｄ  Ｉｎｄｕｃｔｉｖｅ  Ｃｈａｒｇｉｎｇ  Ｃｏｉｌ」と題する米国特許非仮出願第１４／２６３，７９２号に対する優先権を主張するものであり、その内容全体は参照により本明細書に組み込まれる。
【技術分野】
【０００２】
本発明は概して電磁誘導充電及び／又は通信に関し、より具体的には１つ以上の電磁誘導充電コイルを電子デバイスのエンクロージャにカブセル化する又は埋め込むことに関する。
【背景技術】
【０００３】
電磁誘導充電システムは、１つのデバイスの送電コイルから別のデバイスの受電コイルにエネルギーを伝送する。必然的に、送電コイル内の電流は、受電コイル内の電流を誘導する磁場を生成する。受電コイルにて誘導された電流は、受電デバイス内の電池を充電する、受電デバイスを動作させる、及び／又は受電デバイスに通信若しくは制御信号を伝送するために用いることができる。図１は、従来の電磁誘導充電システムの断面図である。電磁誘導充電システム１００は、電力及び／又は信号を、充電デバイスの送電コイル１０６と電子デバイスの受電コイル１０８との間の誘導性結合を介して電子デバイス１０４に送出する充電デバイス１０２を備える。送電コイル１０６は、充電デバイス１０２内に、充電デバイスのエンクロージャ１１２で画定される内部領域１１０内に配置される。特に、送電コイル１０６は、充電面１１４に隣接するエンクロージャ１１２の内壁に貼り付けられる。同様に、受電コイル１０８は、電子デバイス１０４内に、電子デバイスのエンクロージャ１１８で画定される内部領域１１６内に配置される。受電コイル１０６はまた、充電面１１４に隣接するエンクロージャ１１８の内壁に貼り付けられる。
【０００４】
電力又は信号の伝送のピーク効率は一般的に、送電コイルを通るエネルギーが送電コイル内のエネルギーと実質的に等しくなるように、送受電コイルが適切に並べられ、送電コイル１０６によって生成される磁場が送電コイル１０８を囲むことで発生する。しかしながら、これは送受電コイル間に存在し得る距離を限定する又は制限する。距離Ｄが増すにつれて、送電コイルにおける損失が電力伝送の効率を低下させる。いくつかの場合では、電力の伝送効率は、送受電コイル間の距離が増加するにつれて急激に低下し得る。
【考案の概要】
【０００５】
一態様では、少なくとも１つの電磁誘導充電コイルが、電子デバイスのエンクロージャの１つ以上の壁の中にカブセル化される。電子デバイスは任意の好適な種類の電子デバイスであり得て、デジタルメディアプレーヤ、スマートフォン、装着型電子又は通信デバイス、健康監視デバイス、タブレットコンピューティングデバイス、及び電磁誘導充電デバイスが挙げられるが、これらに限定されない。充電デバイスは充電面で電子デバイスを受信する充電ドックであり得る、又は、充電ドックは電子デバイスの充電ポートに挿入されるように適応され得る。電磁誘導コイル又は複数のコイルは所定の形状若しくは設計、例えば渦巻き設計、円錐設計、平面設計、トロイダル設計、及びらせん設計を有し得る。一実施形態では、電磁誘導充電コイル又は複数のコイルは、エンクロージャの１つ以上の壁に各コイルをインサート成形することで、エンクロージャ内にカブセル化される。別の実施形態では、電磁誘導充電コイル（単数又は複数）はエンクロージャ内に形成される開口内にカブセル化され、開口内に機械的に固定される。
【０００６】
別の様態では、電磁誘導充電システムは、送電コイルを含む送電デバイスと、受電コイルを含む受電デバイスと、を備える。送電コイル及び受電コイルのうちの少なくとも１つが、対応するデバイスのエンクロージャにカブセル化される。例えば、送電コイルは送電デバイスのエンクロージャにインサート成形され得る、受電コイルは受電デバイスのエンクロージャにインサート成形され得る、又は送電コイルと受電コイルの両方がそれぞれのエンクロージャにインサート成形され得る。
【０００７】
更に別の態様では、電子デバイスのエンクロージャ内に１つ以上の電磁誘導充電コイルを配置する方法は、電磁誘導充電コイルをエンクロージャの少なくとも一部の形状を画定する型に配置することと、各電磁誘導充電コイルをエンクロージャの少なくとも１つの壁を形成する材料にカブセル化することと、を備える。１つ以上の電磁誘導充電コイルは、エンクロージャの少なくとも一部を形成するための型に材料を射出することによって、エンクロージャ内にカブセル化され得る。
【図面の簡単な説明】
【０００８】
本発明の実施形態は、以下の図面を参照することによってよりよく理解される。図面の要素は、必ずしも互いに対して正確な縮尺ではない。同一の参照番号は、可能な場合に、各図面に共通する同一の特徴を示すために使用されている。
【０００９】
【図１】従来の電磁誘導充電システムの断面図である。
【００１０】
【図２】電磁誘導充電システムの一例の上面図を示す。
【００１１】
【図３】図２における線Ａ−Ａに沿って見た電磁誘導充電ドック２０２及び電子デバイス２０４の簡略断面図である。
【図４】図２における線Ａ−Ａに沿って見た電磁誘導充電ドック２０２及び電子デバイス２０４の簡略断面図である。
【図５】図２における線Ａ−Ａに沿って見た電磁誘導充電ドック２０２及び電子デバイス２０４の簡略断面図である。
【００１２】
【図６】電磁誘導充電システムの別の例の斜視図を示す。
【図７】電磁誘導充電システムの別の例の斜視図を示す。
【００１３】
【図８】図７における線Ｂ−Ｂに沿って見た充電デバイス６０２及び充電ポート６０６の簡略断面図である。
【００１４】
【図９】電磁誘導充電コイルに好適な例示的な形状を示す。
【図１０】電磁誘導充電コイルに好適な例示的な形状を示す。
【図１１】電磁誘導充電コイルに好適な例示的な形状を示す。
【００１５】
【図１２】電子デバイスのエンクロージャの断面図である。
【図１３】電子デバイスのエンクロージャの断面図である。
【００１６】
【図１４】エンクロージャ内に１つ以上の電磁誘導充電コイルを配置する第１の方法のフローチャートである。
【００１７】
【図１５】エンクロージャ内に１つ以上の電磁誘導充電コイルを配置する第２の方法のフローチャートである。
【考案を実施するための形態】
【００１８】
本明細書に記載される実施形態は、少なくとも１つの電磁誘導充電コイルを、電子デバイスのエンクロージャの１つ以上の壁の中にカブセル化する。一実施形態では、１つ又は複数の電磁誘導充電コイルは、電子デバイスのエンクロージャにインサート成形される。電子デバイスは、充電デバイス、充電デバイスから電力を受信する電子デバイス、又は充電デバイスと充電デバイスから電力を受信している電子デバイスとの両方であり得る。エンクロージャに電磁誘導充電コイルをカブセル化することによって、送電コイルと受電コイルとの間の距離を減少させることができ、結果的に電力又は信号の伝送効率が向上し得る。カブセル化された電磁誘導充電コイル（単数又は複数）は、壁又はエンクロージャを強化し得て、エンクロージャが経験する熱的、機械的、及び／又は化学適応力を低下させ得る。加えて、カブセル化された電磁誘導充電コイル（単数又は複数）は、腐食、汚染、及び損傷からより保護される。これはまた、電子デバイスの内部領域（エンクロージャによって及びその中で画定される領域）が、電子デバイスの設計要件に基づいて最適化されるのを可能としてもよい。
【００１９】
本明細書に記載される実施形態は、送電デバイスから受電デバイスにエネルギーを伝送して、電池を充電する、又は受電デバイスを動作させることができる。加えて、又は或いは、通信又は制御信号を、送受電コイル間の電磁誘導性結合を介して受電デバイスに伝送することができる。例えば、充電中に、電磁誘導充電周波数上に高周波パルスを追加して、充電と通信の両方を可能とすることができる。或いは、伝送されたエネルギーを単に通信のために用いることができる。よって、用語「エネルギー」、「信号」、又は「複数の信号」は、無線充電のためのエネルギーの伝送、通信及び／若しくは制御信号としてのエネルギーの伝送、又は無線充電と通信及び／若しくは制御信号としてのエネルギーの伝送の両方を含むように意味する。
【００２０】
ここで図２を参照すると、電磁誘導充電システムの一例の上面図が示されている。電磁誘導充電システム２００は、充電デバイス２０２（例えば、充電ドック）及びポータブル電子デバイス２０４の２つの電子デバイスを備える。この例示的実施形態では、ポータブル電子デバイスはスマートフォンである。他の実施形態では、ポータブル電子デバイスは他の電子デバイスであり得て、デジタルメディアプレーヤ、装着可能電子又は通信デバイス、健康監視デバイス、タブレットコンピューティングデバイス、及び１つ以上の電磁誘導充電コイルを備える他の種類の電子デバイスを含むがそれらに限定されない。
【００２１】
電子デバイス２０４に１つ以上の信号を伝送するには、電子デバイス２０４を充電ドック２０２の充電面上２０６に載置する。充電ドック２０２は、電源コード又はコネクタを介して電源（例えば、壁付きコンセント）に接続されていてもよい（図示せず）。充電ドック２０２は、ポータブル電子デバイス２０４内の１つ以上の電磁誘導充電コイルにエネルギーを伝送する１つ以上の電磁誘導充電コイルを備える。よって、充電ドック２０２は１つ又は複数の送電コイルを有する送電デバイスであり、ポータブル電子デバイス２０４は１つ以上の受電コイルを有する受電デバイスである。以前に記載したとおり、伝送されたエネルギーは、電子デバイス２０４内の電池を充電する、電子デバイスを動作させる、通信信号を伝送する、及び／又は制御信号を伝送するために用いることができる。
【００２２】
図３〜図５は、図２における線Ａ−Ａに沿って見た電磁誘導充電ドック２０２及び電子デバイス２０４の簡略断面図である。当業者であれば、充電ドック２０２及び電子デバイス２０４がそれぞれ、断面図又は斜視図で存在し得る、回路基板、処理装置、電源又は電池、ディスプレイ、ボタン、マイク、スピーカ、及びキーボードなどの入出力デバイス、並びにメモリなどの他の機械的、構造的、及び電子部品を備え得ることを認識するであろう。しかしながら、これらの部品は図３〜図１３からは、明示性及び簡潔さのために省略されている。
【００２３】
図３の実施形態では、送電コイル３００は、充電ドック２０２のエンクロージャ３０４の壁３０２の中にカブセル化されている。特に、壁３０２の外面は、充電ドック２０２の充電面２０６を形成するか、少なくともその一部である。受電コイル３０６は電子デバイス２０４の内部領域３０８内に配置可能であり、充電面２０６に隣接する内壁に貼り付けることができる。図３〜図５では１つの送電コイルと１つの受電コイルしか示されていないが、他の実施形態では複数の送電コイル及び／又は受電コイルを用いることができ、コイルをデバイス内の異なる位置に配置してもよい。
【００２４】
受電コイル３０６は、１つ以上の信号が充電ドック２０２から電子デバイス２０４に伝送される時に受電コイル３０６を送電コイル３００の実質的に上かそれに隣接して配置することで、送電コイル３００と整列される。エンクロージャ３０４の壁３０２内に送電コイル３００を埋め込むことで、送電コイルを充電面２０６の近くに配置し、そのことで送電コイルは受電コイルの近くに載置される。送受電コイル間の距離Ｄ１は、送電コイル３００が壁３０２にカブセル化される時に図１の距離Ｄよりも短くなり得る。
【００２５】
別の実施形態では、受電コイル４００は、電子デバイス２０４のエンクロージャ４０４の壁４０２にカブセル化される（図４を参照）。特に、壁３０２は、充電ドック２０２の充電面２０６と隣接可能である。送電コイル４０６は充電ドック２０４の内部領域４０８内に配置可能であり、充電面２０６を形成するかその中に含まれる外面を有する内壁に貼り付けられ得る。受電コイル４００は、受電コイルが壁４０２にカブセル化される時に充電面２０６の近くに配置される。送受電コイル間の距離Ｄ２は、受電コイル４００が壁４０２内に埋め込まれている時に図１の距離Ｄより短くなり得る。
【００２６】
そして図５に示す実施形態では、両方のコイルが、充電面２０６に最も近いそれぞれのエンクロージャの壁の中にカブセル化される。送電コイル５００は充電デバイス２０２の壁５０２内に埋め込まれ、受電コイル５０４は電子デバイス２０４の壁５０６内にカブセル化される。送電コイル５００及び受電コイル５０４の間の距離Ｄ３は、図１の距離Ｄよりも短くすることができ、送受電コイルが充電ドック及び電子デバイスのエンクロージャに埋め込まれている時に、図３及び図４に示す距離Ｄ１及びＤ２それぞれよりも短くすることができる。
【００２７】
送電コイル（単数又は複数）及び／又は受電コイル（単数又は複数）をそれぞれのエンクロージャにカブセル化することで、コイルが互いに近くにあるためにエネルギー伝送の効率を上げることができる。送電コイルにおける損失は、送受電コイル間の距離が減少した時に低下させることができる。加えて、埋め込まれた電磁誘導充電コイル（単数又は複数）は、壁又はエンクロージャを強化し得て、エンクロージャが経験する熱的、機械的、及び／又は化学適応力を低下させ得る。加えて、カブセル化された電磁誘導充電コイル（単数又は複数）は、腐食、汚染、及び損傷からより保護される。そしていくつかの実施形態では、カブセル化された１つ又は複数のコイルは、電子デバイスの内部領域（エンクロージャによって及びその中で画定される領域）が、電子デバイスの設計要件に基づいて最適化されるのを可能としてもよい。例えば、コイルをカブセル化している壁の厚さを減らすことができ、この減らされた厚さに基づいて、電子デバイスの内部領域はより大きな部品載置領域を得るために増加可能である。或いは、減らされた壁の厚さに基づいて、電子デバイスの内部領域を、電子デバイスの内部領域のより小さな外形を生成するために減らすことができる。
【００２８】
次に図６〜図７を参照すると、電磁誘導充電システムの別の例の斜視図が示される。充電システム６００は、充電デバイス６０２及び電子デバイス６０４を備える。充電デバイス６０２は、電子デバイスの充電ポート６０６に挿入されてそこから外されるように適応され、充電ポート６０６は充電デバイス６０２を受けるように適応される。図６は充電デバイス６０２が充電ポート６０６から外されているのを示し、図７は充電デバイス６０２が充電ポート６０６に挿入されているのを示す。充電デバイス６０２は、電源コード又はコネクタ６０８を用いて電源（例えば壁付きコンセント）に接続可能である。充電デバイス及び充電ポートは、他の実施形態では異なる形状を有し得る。
【００２９】
図８は、図７における線Ｂ−Ｂに沿って見た充電デバイス６０２及び充電ポート６０６の簡略断面図である。１つ以上の送電コイル８００が、充電デバイス６０２のエンクロージャ８０２の中に埋め込まれている。１つ以上の受電コイル８０４が、エンクロージャ又は充電ポート６０６を形成する壁８０６の中にカブセル化される。図３〜図５の実施形態のように、送電コイル（単数又は複数）８００及び受電コイル（単数又は複数）８０４の間でのエネルギー伝送は、送受電コイルが互いにより近くにある時により効率的になり得る。
【００３０】
いくつかの実施形態では、シールド８０８を充電デバイス６０２のエンクロージャ８０２の１つ以上の壁に備えさせて、送電コイル（単数又は複数）８００の磁束を受電コイル（単数又は複数）８０４に向けさせることができる。１つのシールド又は複数のシールド８０８は任意の好適な材料からなり得て、各シールドは任意の所与の設計又は形状で構成可能である。加えて又は或いは、シールドを充電ポート６０６のエンクロージャ８０６の１つ以上の壁に備えることができる。一例として、エンクロージャ８０６の壁（単数又は複数）の中のシールドは、受電コイル８０４とエンクロージャ８０６の外面との間に配置可能である。
【００３１】
次に図９〜図１１を参照すると、電磁誘導充電システムとして好適な例示的な形状が示されている。電磁誘導充電コイルの例示的な構成は、円錐設計、平面設計、トロイダル設計、渦巻き設計、円形設計、らせん設計、バスケット織設計、又は蜘蛛の巣設計を含むが、これらに限定されない。これら及び他の設計における電磁誘導充電コイルは、１つ以上の導電体又はワイヤを備えることができる。図９は円錐形状の電磁誘導充電コイル９００を示す。図１０は平面形状の電磁誘導充電コイル１０００を示す。そして図１１はトロイダル形状電磁誘導充電コイル１１００を示す。
【００３２】
図１２〜図１３は電子デバイスのエンクロージャの断面図を示す。図１２では、電磁誘導充電コイル１２００はエンクロージャ１２０４の壁１２０２の中に埋め込まれる。壁１２０２の外面１２０６は実質的に平面である。電磁誘導充電コイル１２００は任意の所与の形状を有することができる。よって、外面１２０６は、いくつかの実施形態では電磁誘導充電コイル１２００の形状と一致しない又は対応しない場合がある。
【００３３】
他の実施形態では、電磁誘導充電コイル１３０４をカブセル化している壁１３０２の外面１３００の少なくとも一部は、図１３に示すように、電磁誘導充電コイル１３０４の形状に対応することができる。例えば、送電デバイス１３０８のエンクロージャ１３０６は、送電コイル１３０４の形状に対応する、せり上げ領域１３１０を含むことができる。更に、いくつかの実施形態では、受電デバイス１３１６についてのエンクロージャ１３１４の外面１３１２の形状は、送電デバイス１３０８のエンクロージャ１３０６の外面１３００の形状に対応し得る。これらの対応する形状によって、送電コイル１３０４及び受電コイル１３１８の整列がより容易になり得る。
【００３４】
或いは、いくつかの実施形態では、受電デバイスにて受電コイルをカブセル化している壁の外面の少なくとも一部は、受電コイルの形状に対応し得る。送電デバイスについてのエンクロージャの外面の形状は、受電デバイスについてのエンクロージャの外面の形状に対応してもよい。
【００３５】
ここで図１４を参照すると、エンクロージャ内に１つ以上の電磁誘導充電コイルを配置する第１の方法のフローチャートが示されている。最初に、ブロック１４００に示すように、１つ以上のコイルが、電子デバイスのエンクロージャを画定する又はその少なくとも一部を形成する型に載置される。前に記載するように、電子デバイスは、送電デバイス又は受電デバイスのためのものであってもよい。任意の好適な種類の電磁誘導充電コイルを用いることができる。例えば、電磁誘導充電コイルは、コア材料の周りに巻かれた導電体で形成され得る。導電体は、銅ワイヤなどの金属導電体であり得て、コア材料は鉄鋼材料であり得る。
【００３６】
エンクロージャを形成するための材料は、次にブロック１４０２で型に注入される。材料は任意の好適な材料で作製されてもよい。例示的な材料としては、ポリカーボネート材料などの合成樹脂が挙げられる。次に、ブロック１４０４に示すように、形成されたエンクロージャ又はエンクロージャの一部分が型から外される。１つ以上の電磁誘導充電コイルは、形成されたエンクロージャ又はエンクロージャの一部にカブセル化される。
【００３７】
図１５は、エンクロージャ内に１つ以上の電磁誘導充電コイルを配置する第２の方法のフローチャートである。最初に、電磁誘導充電コイルのための開口を、ブロック１５００に示すように、エンクロージャの１つ以上の壁に形成可能である。任意の好適な方法を使用して、エンクロージャの壁に開口を形成することができる。一例として、開口をエンクロージャの壁にエッチング又はドリルで開けることができる。
【００３８】
次に、ブロック１５０２に示すように、電磁誘導充電コイルを各開口に載置することができる。ブロック１５０４に示すように、その後、電磁誘導充電コイルを開口に貼り付けるか固定することができる。例えば、電磁誘導充電コイルを開口に機械的に固定することができる。一例としては、電磁誘導充電コイルを締め具ではんだ付けするか貼り付けてもよい。或いは、電磁誘導充電コイルを接着剤で固定することができる。
【００３９】
いくつかの実施形態では、１つ又は複数の電磁誘導充電コイルを、コイル（単数又は複数）を、損傷、材料の侵入、及び／又は他の可能な環境上の故障から保護し得る材料で被覆することができる。コーティングとしては、任意の好適な材料又は材料の組み合わせを用いることができる。例えば、紫外線硬化エポキシで１つ以上の電磁誘導充電コイルを被覆するかコーティングしてもよい。
【００４０】
様々な実施形態について、その特定の特徴を具体的に参照しながら詳細に説明してきたが、本開示の趣旨及び範囲内で、変形及び変更を実施してもよいことが理解されるであろう。更に、本明細書では具体的な実施形態について説明してきたが、適用例はこれらの実施形態に限定されないことに留意されたい。具体的には、一実施形態に関連して説明されている任意の特徴は、入れ替え可能な場合、他の実施形態において使用されてもよい。同様に、異なる実施形態の特徴は、入れ替え可能な場合、交換されてもよい。
【図１】
0003210885.tif 000003
【図２】
0003210885.tif 000004
【図３】
0003210885.tif 000005
【図４】
0003210885.tif 000006
【図５】
0003210885.tif 000007
【図６】
0003210885.tif 000008
【図７】
0003210885.tif 000009
【図８】
0003210885.tif 000010
【図９】
0003210885.tif 000011
【図１０】
0003210885.tif 000012
【図１１】
0003210885.tif 000013
【図１２】
0003210885.tif 000014
【図１３】
0003210885.tif 000015
【図１４】
0003210885.tif 000016
【図１５】
0003210885.tif 000017
【手続補正書】
【提出日】平成28年11月15日(2016.11.15)
【手続補正１】
【補正対象書類名】実用新案登録請求の範囲
【補正対象項目名】全文
【補正方法】変更
【補正の内容】
【実用新案登録請求の範囲】
【請求項１】
電子デバイスのエンクロージャの１つ以上の壁の中にカブセル化される１つ以上の電磁誘導充電コイルを備える、電子デバイス。
【請求項２】
前記１つ以上の電磁誘導充電コイルは、前記電子デバイスの前記エンクロージャの前記１つ以上の壁にインサート成形される、請求項１に記載の電子デバイス。
【請求項３】
前記電子デバイスは充電デバイスを備える、請求項１又は２に記載の電子デバイス。
【請求項４】
前記充電デバイスは、前記電子デバイスにおける充電ポートに挿入されるように適応される充電デバイスを含む、請求項３に記載の電子デバイス。
【請求項５】
前記充電デバイスは充電ドックを含む、請求項３又は４に記載の電子デバイス。
【請求項６】
前記電子デバイスは、装着型電子デバイス及びポータブル電子デバイスのうちの１つを備える、請求項１乃至５のいずれか一項に記載の電子デバイス。
【請求項７】
少なくとも１つの電磁誘導充電コイルは、平面型電磁誘導充電コイルを含む、請求項１乃至６のいずれか一項に記載の電子デバイス。
【請求項８】
少なくとも１つの電磁誘導充電コイルは、トロイダル形状の電磁誘導充電コイルを含む、請求項１乃至６のいずれか一項に記載の電子デバイス。
【請求項９】
少なくとも１つの電磁誘導充電コイルは、円錐形状の電磁誘導充電コイルを含む、請求項１乃至６のいずれか一項に記載の電子デバイス。
【請求項１０】
少なくとも１つの壁の外面の形状が少なくとも１つの電磁誘導充電コイルの形状に対応する、請求項１乃至９のいずれか一項に記載の電子デバイス。
【請求項１１】
電磁誘導充電システムであって、
送電コイルを備える送電デバイスと、
受電コイルを備える受電デバイスと、を備え、前記送電コイル及び前記受電コイルのうちの少なくとも１つは、対応するデバイスのエンクロージャにカブセル化される、電磁誘導充電システム。
【請求項１２】
前記送電コイルは、前記送電デバイスの前記エンクロージャにインサート成形される、請求項１１に記載の電磁誘導充電システム。
【請求項１３】
前記受電コイルがは、前記受電デバイスの前記エンクロージャにインサート成形される、請求項１１又は１２に記載の電磁誘導充電システム。
【請求項１４】
前記送電デバイスは充電デバイスを含む、請求項１１乃至１３のいずれか一項に記載の電磁誘導充電システム。
【請求項１５】
前記充電デバイスは、電子デバイスにおける充電ポートに挿入されるように適応される充電デバイスを含む、請求項１４に記載の電磁誘導充電システム。
【請求項１６】
前記受電デバイスは、装着型電子デバイス及びポータブル電子デバイスのうちの１つを含む、請求項１１乃至１５のいずれか一項に記載の電磁誘導充電システム。